(57)【要約】【課題】ＭＳが破壊されても従来のカードの印刷デザインを損なうことなく取引情報を読取ることが可能な自動取引装置、カード読取方法およびプログラムを提供する。【解決手段】カードに記録された取引情報を読取り、前記取引情報に基づいて自動取引を実行する自動取引装置であって、前記カード表面の所定位置の色彩を読取る第１の読取部と、前記カードに記録された前記取引情報を読取る第２の読取部と、前記第２の読取部が前記取引情報を読取れるか否かを、前記所定位置の色彩に基づいて判定する判定部と、を有し、前記第２の読取部は、前記判定部により前記取引情報を読取れると判定された場合に前記取引情報を読取る自動取引装置により、上記課題の解決を図る。【選択図】図１
2013012083.tif 000002
【特許請求の範囲】
【請求項１】
カードに記録された取引情報を読取り、前記取引情報に基づいて自動取引を実行する自動取引装置であって、
前記カード表面の所定位置の色彩を読取る第１の読取部と、
前記カードに記録された前記取引情報を読取る第２の読取部と、
前記第２の読取部が前記取引情報を読取れるか否かを、前記所定位置の色彩に基づいて判定する判定部と、
を有し、
前記第２の読取部は、前記判定部により前記取引情報を読取れると判定された場合に前記取引情報を読取ることを特徴とする自動取引装置。
【請求項２】
前記色彩とは、輝度または色を表す光学的な情報であることを特徴とする請求項１に記載の自動取引装置。
【請求項３】
前記第１の読取部は、前記カード表面の所定位置に配置された図形の色彩を読取ることを特徴とする請求項１または請求項２に記載の自動取引装置。
【請求項４】
前記取引情報を記録した第１の記録部の有無と前記カードの挿入方向に関する情報とを含むカード識別情報を、前記所定位置の色彩に関連付けて記憶する記憶部と、
前記所定位置の色彩に基づき、前記記憶部より前記第１の記録部の有無および前記カードの挿入方向を取得するカード識別情報取得部と、
をさらに有し、
前記判定部は、前記カード識別情報取得部により前記第１の記録部が有り、かつカードの挿入方向が所定の方向であると取得された場合に、前記取引情報が読めると判定することを特徴とする請求項１から請求項３のいずれか一項に記載の自動取引装置。
【請求項５】
前記カードの前記第１の記録部とは別の第２の記録部に記録された前記カードのカード識別情報を読取る第３の読取部、
をさらに有し、
前記第３の読取部が前記カードのカード識別情報を読取ることができない場合に、前記カード識別情報取得部は、前記第１の読取部が読取った色彩に基づき前記記憶部から前記カード識別情報を取得することを特徴とする請求項４に記載の自動取引装置。
【請求項６】
前記カードを排出する排出部、
をさらに有し、
前記判定部が、前記取引情報が読取れないと判定すると、前記排出部は前記カードを排出することを特徴とする請求項１から請求項５のいずれか一項に記載の自動取引装置。
【請求項７】
前記第２の読取部の位置を調整する位置調整部、
をさらに有し、
前記判定部が、前記取引情報が読取れないと判定すると、前記位置調整部は、前記所定位置の色彩に基づいて前記取引情報を読み取れるように前記第２の読取部の位置を調整することを特徴とする請求項１から請求項５のいずれか一項に記載の自動取引装置。
【請求項８】
前記カードを前記自動取引装置内部で反転させる反転部、
をさらに有し、
前記判定部が、前記取引情報が読取れないと判定すると、前記反転部は、前記カードを反転させることを特徴とする請求項１から請求項５のいずれか一項に記載の自動取引装置。
【請求項９】
カードに記録された取引情報を読取り、前記取引情報に基づいて自動取引を実行する自動取引装置におけるカード読取方法であって、
前記カード表面の所定位置の色彩を読取り、
前記カードに記録された前記取引情報を読取れるか否かを、前記所定位置の色彩に基づいて判定し、
前記取引情報を読取れると判定された場合に前記取引情報を読取ることを特徴とするカード読取方法。
【請求項１０】
カードに記録された取引情報を読取り、前記取引情報に基づいて自動取引を実行する自動取引装置において、前記カード表面の所定位置の色彩を読取る処理と、
前記カードに記録された前記取引情報を読取れるか否かを、前記所定位置の色彩に基づいて判定する処理と、
前記取引情報を読取れると判定された場合に前記取引情報を読取る処理と、
をコンピュータに実行させるためのプログラム。
【発明の詳細な説明】
【技術分野】
【０００１】
本発明は、自動取引装置、カード読取方法およびプログラムに関する。
【背景技術】
【０００２】
銀行のＡＴＭ（Ａｕｔｏｍａｔｅｄ  Ｔｅｌｌｅｒ  Ｍａｃｈｉｎｅ）、ＣＤ（Ｃａｓｈ  ｄｉｓｐｅｎｓｅｒ）等の自動取引装置においては、磁気ストライプ（Ｍａｇｎｅｔｉｃ  Ｓｔｒｉｐｅ：ＭＳ）と、ＩＣ（Ｉｎｔｅｇｒａｔｅｄ  Ｃｉｒｃｕｉｔ）チップとを備えたカードが用いられることがある。また、銀行取引を行うための情報を格納した銀行用ＭＳおよび、クレジット取引を行うための情報を格納したクレジット用のＭＳに加え、少なくとも銀行取引を行うための情報を格納したＩＣチップを備えた一体型カードも用いられている。
【０００３】
このようなカードでは、ＭＳやＩＣチップの情報を検出する読取部の配置の関係から、自動取引装置に挿入する方向が決められている。このため、挿入方向を間違えないような工夫や、間違えた場合の対応方法が施されている例がある。
【０００４】
例えば、カードに記載されている情報を読取って処理を行うカード処理装置において、挿入されたカードの表裏や方向を方向検出センサで読み取り、表裏や方向が誤りなく挿入されたか否かを判別するようにした例がある。挿入方向が間違っている場合には、装置内部で反転させることにより、カードの磁気処理を行うようにしている（例えば、特許文献１参照）。
【０００５】
また、挿入方向を示す図柄を蛍光塗料やざらざらした感触を持つ図柄とし、健常者のみならず目に障害のある人などにも判別しやすくした例がある（例えば、特許文献２参照）。さらに、２つのカード処理部を設け、カードの挿入方向に関わらず、情報の記録再生が可能なカードリーダの例もある（例えば、特許文献３参照）。
【先行技術文献】
【特許文献】
【０００６】
【特許文献１】特開２０１０−１３４５７１号公報
【特許文献２】特開２０００−５７２８１号公報
【特許文献３】特開２００９−２６６１０７号公報
【発明の概要】
【発明が解決しようとする課題】
【０００７】
しかしながら、例えば特許文献１に記載のカード処理装置では、方向検出センサが具体的に何を検出しているのか、明確な記載がない。また、特許文献２に記載のカードは、現在のカードデザインを変える必要があるとともに、装置側で挿入方向を検出するものではない。特許文献３に記載のカードリーダは、２つのカード処理部といった追加の構成が必要となり、装置の大型化、コストの上昇などが懸念される。
【０００８】
さらに、上記のようなカードでは、ＭＳに、ＩＣチップの搭載有無やカードの挿入方向に関係する情報を含むカード識別情報が含まれており、このカード識別情報により、ＩＣチップの有無やカードの挿入方向を認識している場合がある。しかし、例えば持ち運びなどによりＭＳのデータが破壊されると、例え一体型カードでクレジット用ＭＳのみが破壊され、銀行用ＭＳおよび銀行ＩＣチップのデータが正常な場合でも、カード識別情報が読取れなくなることがある。このため、自動取引装置にカードを挿入した際に、カード識別情報により識別されているカード挿入方向が不明となってしまい、ＩＣチップにアクセスすることもできなくなる。よって、ＩＣチップが正常であっても、取引に必要な情報が読取れず、銀行用カードとしての機能も使用できなくなり、カードが使えない状態となってしまう。
【０００９】
このようにカードが使えない状態となった場合には、再発行が必要になるが、このとき、顧客および金融機関ともに、以下の負担が発生する。すなわち、顧客は、金融機関の平日の営業時間に支店に出向いて、窓口で手続きをしなければならないとともに、カード発行手数料が必要になる場合がある。金融機関は、窓口対応および事務作業が発生し、作業負担が増加する。
【００１０】
そこで本発明は、ＭＳが破壊されても、顧客、金融機関ともに負担が発生せず、従来のカードの印刷デザインを損なうことなくカードの識別情報を取得することにより、カードに記録された取引に関する情報を読取ることが可能な自動取引装置、カード読取方法およびプログラムを提供することを目的とする。
【課題を解決するための手段】
【００１１】
本発明に係る自動取引装置は、カードに記録された取引情報を読取り、前記取引情報に基づいて自動取引を実行する自動取引装置であって、前記カード表面の所定位置の色彩を読取る第１の読取部と、前記カードに記録された前記取引情報を読取る第２の読取部と、前記第２の読取部が前記取引情報を読取れるか否かを、前記所定位置の色彩に基づいて判定する判定部と、を有し、前記第２の読取部は、前記判定部により前記取引情報を読取れると判定された場合に前記取引情報を読取ることを特徴としている。
【００１２】
本発明に係るカード読取方法は、カードに記録された取引情報を読取り、前記取引情報に基づいて自動取引を実行する自動取引装置におけるカード読取方法であって、前記カード表面の所定位置の色彩を読取り、前記カードに記録された前記取引情報を読取れるか否かを、前記所定位置の色彩に基づいて判定し、前記取引情報を読取れると判定された場合に前記取引情報を読取ることを特徴としている。
【００１３】
なお、上述した本発明に係る方法をコンピュータに行わせるためのプログラムであっても、このプログラムを当該コンピュータによって実行させることにより、上述した本発明に係る方法と同様の作用・効果を奏するので、前述した課題が解決される。
【発明の効果】
【００１４】
本発明による自動取引装置、カード読取方法およびプログラムによれば、ＭＳが破壊されても従来のカードの印刷デザインを損なうことなく取引に必要な情報を読取ることが可能となる。
【図面の簡単な説明】
【００１５】
【図１】一実施の形態による自動取引装置の概観斜視図である。
【図２】一実施の形態による自動取引装置の構成を示すブロック図である。
【図３】一実施の形態によるカード処理部の構成を示す図である。
【図４】一実施の形態によるカードの例を示す図であり、（ａ）は、銀行専用カード、（ｂ）、（ｃ）は、一体型カードを示す。
【図５】一実施の形態による自動取引装置における取引情報読取り処理を示すフローチャートである。
【図６】一実施の形態による取引情報読取り処理におけるカードの動きを示す図である。
【図７】一実施の形態による図形の検出方法の例を示す図であり、（ａ）は第１の例、（ｂ）は第２の例、（ｃ）は第３の例を示す。
【図８】一実施の形態によるカード判別情報の一例を示す図である。
【発明を実施するための形態】
【００１６】
以下、図面を参照しながら、本発明の一実施の形態による自動取引装置について説明する。まず、図１および図２を参照しながら、本実施の形態による自動取引装置１の構成について説明する。図１は、自動取引装置１の概観斜視図、図２は、自動取引装置１の構成を示すブロック図である。
【００１７】
自動取引装置１は、銀行などに備えられる現金自動預払機（ＡＴＭ）や、キャッシュディスペンサ（ＣＤ）の一例であり、前面に操作、表示、入出金等を行うための各部を備えた装置である。図１に示すように、自動取引装置１前面には、カード入出部３、通帳入出部５、紙幣入出部７、硬貨入出部９、表示パネル１１、通話部１３などを備えている。
【００１８】
カード入出部３は、後述する一体型ＩＣカード等のカードを挿入または排出する開口部である。通帳入出部５は、通帳に取引履歴を記載するため入出を行う開口部である。紙幣入出部７は、必要に応じて開かれ、内部に紙幣を配置し、または内部から紙幣を取り出すことにより入出金を行うための開閉可能な開口部である。硬貨入出部９は、必要に応じて開かれ、内部に硬貨を投入し、または内部から硬貨を取り出すことにより硬貨の入出金を行うための開閉可能な開口部である。
【００１９】
表示パネル１１は、例えば液晶表示装置とタッチパネルとを備え、顧客に対する情報を表示するとともに、表面に触れることにより自動取引装置１に指示を入力する装置である。通話部１３は、自動取引装置１における操作に不明点があった場合などに手にすることにより、行員と通話可能な受話器である。
【００２０】
図２に示すように、自動取引装置１は、カード処理部３０、カード搬送部３２、通帳処理部３４、操作表示部３６、紙幣入出金部３８、硬貨入出金部４０、記憶部４２、およびそれらを制御する制御部４４を有している。
【００２１】
カード処理部３０は、カード入出口３を含んで構成され、カード入出部３に挿入されたカードに記録された情報の読出しを行う読取装置を有している。詳細は後述する。カード搬送部３２は、カード入出口３に挿入されたカードを、自動取引装置１における入出金処理の状態に応じて搬送する搬送装置であり、例えば、ベルトやプーリなどにより構成される。
【００２２】
通帳処理部３４は、通帳入出口５を含み、通帳入出部５に挿入される通帳を自動取引装置１内部に取込むとともに、入出金処理に伴う履歴を印刷するなどの処理を行い、処理が終了すると通帳入出口５に排出する装置であり、通帳を搬送する機能と印刷等の処理を行なう機能を有している。操作表示部３６は、表示パネル１１を含んで構成され、表示パネル１１を制御して顧客に操作を促すための表示等を行うとともに、表示パネル１１を介して入力される指示を取得する。
【００２３】
紙幣入出金部３８は、紙幣入出部７を有し、表示パネル１１を介して入力された指示に基づいて発生する取引に応じて、紙幣入出部７を介して紙幣の入出金を行う。硬貨入出金部４０は、硬貨入出部９を有し、表示パネル１１を介して入力された指示に基づいて発生する取引に応じて、硬貨入出部９を介して硬貨の入出金を行う。
【００２４】
記憶部４２は、例えばＲＡＭ（ＲＡＮＤＯＭ  Ａｃｃｅｓｓ  Ｍｅｍｏｒｙ）、ＲＯＭ（Ｒｅａｄ  Ｏｎｌｙ  Ｍｅｍｏｒｙ）等の記憶装置である。記憶部４２は、自動取引装置１の動作を制御する制御プログラムを記憶する領域として用いられるとともに、制御プログラムを実行する際に、必要に応じて作業用記憶領域として使用される。また、記憶部４２は、後述するカード処理部３０で読取られる情報や、その情報に関連して参照される情報等を保持する記憶領域として用いられる。制御部４４は、記憶部４２に記憶された制御プログラムを読み込んで実行することにより、自動制御装置１における各構成要素の動作を制御する演算装置である。
【００２５】
次に、図３および図４を参照しながら、本実施の形態によるカード処理部およびカードの構成について説明する。図３は、カード処理部の構成を示す図、図４は、カードの例を示す図であり、（ａ）は、銀行専用カード、（ｂ）、（ｃ）は、銀行およびクレジット両用のＩＣチップ付き一体型カード（以下、単に一体型カードという）を示す。
【００２６】
図３に示すように、カード処理部３０は、磁気リーダ部５２、イメージリーダ部５４およびＩＣチップリーダ部５６を有している。なお、図３は、カード処理部３０の上方から見た配置を概念的に示しており、矢印６０は、カード挿入方向を示し、矢印６２は、カード搬送方向を示している。
【００２７】
すなわち、図３において、カード処理部３０の右側のカード入出口３に近い側に磁気リーダ部５６が設けられ、横方向中央付近にイメージリーダ部５４が設けられ、左側にＩＣチップリーダ部５２が設けられている。磁気リーダ部５２は、磁気ヘッドなどを備え、カードの磁気ストライプ（ＭＳ）に記録された情報を読出す装置である。イメージリーダ部５４は、例えばＣＣＤカメラなどを備え、カード処理部３０に挿入されるカード表面の画像を取得する装置である。ＩＣチップリーダ部５６は、少なくとも一つの接点を備え、カードのＩＣチップと接触することにより、ＩＣチップ内部に記録された情報を読取る装置である。このような構成のカード処理部３０により、矢印６０の方向から挿入されたカードが矢印６２の方向に搬送される際に、適宜情報の読取りが可能となっている。
【００２８】
図４（ａ）に示すように、自動取引装置１において使用可能なカードの一例であるカード７０は、銀行専用カードであり、例えばプラスティック製の板状部材に銀行名や用途など（不図示）を含む図柄が印刷されている。またカード７０は、銀行取引に関する情報を記録した銀行ＭＳ７２、ＩＣチップ７４を備えるとともに、挿入方向を示す三角形７６が図柄の一部として所定の色で印刷されている。カード７０は、銀行専用カードであるので、ＭＳは一種類のみが備えられており、読取方向が一方向であるので、三角形７６により示される矢印６０の方向が正方向となる。なお、本明細書において、銀行ＭＳ７２、ＩＣチップ７４などに記録される、自動取引装置１における取引を行うために必要な情報を取引情報ということにする。
【００２９】
銀行ＭＳ７２には、例えば、カード７０が銀行用のカードであることやＩＣチップ７４を有しているという情報を含むカード識別情報が記録されている。カード識別情報としては、銀行専用またはクレジット併用などカードの種別や、カードがどの会社のものであるか、などの情報を含むようにしてもよい。また、予め記憶部４２には、三角形７６の形状、色、位置等（以下、印刷情報という）に関連付けて、少なくともカード７０の挿入方向を示す情報とＩＣチップ７４を備えていることを示す情報とを含むカード識別情報を記録しておく。記憶部４２に記録する、印刷情報とカード識別情報を互いに関連付けた情報を、以下カード判別情報ということにするが、詳細については後述する。
【００３０】
ところで、三角形７６の「色」とは、他の印刷の状態と光学的に識別可能な状態を示す情報であればよい。光学的に識別可能とは、例えば、同一色で異なる階調値を有する状態や、互いに色が異なる状態など、輝度または色を表す光学的な情報により互いに識別可能な状態をいう。以下、本明細書においては、これらの輝度または色を表す光学的な情報をまとめて「色彩」と表現することにする。
【００３１】
図４（ｂ）、（ｃ）に示すように、カードの別の例である一体型カード８０は、例えばプラスティック製の板状部材に銀行名や用途など（不図示）を含む図柄が印刷されている。一体型カード８０は、クレジット取引に関する情報を記録したクレジットＭＳ８２と、銀行取引に関する情報を記録した銀行ＭＳ８６およびＩＣチップ９０を有している。このとき、クレジットＭＳ８２には、例えば一体型カード８０の挿入方向に関する情報、および一体型カード８０がＩＣチップ９０を有しているという情報を含むカード識別情報が記録されている。また、一体型カード８０には、挿入方向を示す三角形８４と三角形８８とが互いに異なる色彩で印刷されている。
【００３２】
ここで、図４（ｂ）に示した一体型カード８０は、三角形８４で示す挿入方向が、挿入方向６０と一致した方向となっており、この方向に一体型カード８０をカード入出口３に挿入すると、磁気リーダ部５２は、クレジットＭＳ８２を読取る。この方向を正方向という。図４（ｃ）に示した一体型カード８０は、三角形８８で示す挿入方向が、挿入方向６０と一致した方向となっており、この方向に一体型カード８０をカード入出口３に挿入すると、磁気リーダ部５２は、銀行ＭＳ８６を読取る。この方向を逆方向という。
【００３３】
このとき、クレジットＭＳ８２には、一体型カード８０がＩＣチップ９０を有しているという情報、および一体型カード８０の挿入方向が、正方向であることを示す情報を含むカード識別情報を記録させることが好ましい。カード識別情報としては、銀行専用、またはクレジット併用などカードの種別や、カードがどの会社のものであるかを示す情報などを含むようにしてもよい。通常、一体型カード８０は、三角形８４で示される方向に挿入されると、磁気リーダ部５２によりカード識別情報が読取られ、正方向であることと、ＩＣチップ９０が備えられていることが確認される。このとき、ＩＣチップリーダ部５６は、ＩＣチップ９０にアクセスすることが可能になる。
【００３４】
本実施の形態においては、カード識別情報を三角形８４、８８の「色彩」「図形」の形状（以下、単に「図形」という）、「位置」を含む印刷情報と関連付けて、カード判別情報として予め記憶部４２に記憶する。また、カードがクレジット併用であることを示すカード種別や、カードがどの銀行のカードであるか、あるいはどのクレジット会社のカードであるか等他のカード識別情報を同時に記憶部４２に記憶するようにしてもよい。カード判別情報についての詳細は後述する。
【００３５】
自動取引装置１は、一体型カード８０について、通常クレジットＭＳ８２を読取って取得するカード識別情報を、所定位置に印刷された三角形８４の色彩を読取ることにより取得する。これによりＩＣチップリーダ部５６はＩＣチップ９０にアクセスし、銀行取引に必要な取引情報を読み出す。
【００３６】
以上のように構成される自動取引装置１における取引情報読取り動作について、図５〜図７を参照しながら説明する。図５は、自動取引装置における取引情報読取り処理を示すフローチャート、図６は、取引情報読取り処理におけるカードの動きを示す図、図７は、図形の検出方法の一例を示す図、図８は、カード判別情報の一例を示す図である。
【００３７】
図５に示すように、まず、自動取引装置１は、操作表示部３６により、表示パネル１１に取引画面を表示させ（Ｓ２０１）、表示パネル１１の所定の取引キーの押下を取得する（Ｓ２０２）。取引キーが押下されると、制御部４４は、カード入出部３にカードが挿入されたことを検知する（Ｓ２０３）。
【００３８】
図６は、一体型カード８０が正方向に挿入される場合を例にして、各処理における一体型カード８０の位置を示している。Ｓ２０３では、状態１８０のように、一体型カード８０はカード搬送部３２によりカード入出部３から自動取引装置１に挿入される。
【００３９】
図５に戻って、制御部４４が、カード入出部３にカードが挿入されたことを検知すると、磁気リーダ部５２は、挿入されたカードのＭＳデータを読取り、イメージリーダ部５４は、挿入されたカードのカードイメージを読取る（Ｓ２０４）。このとき、図６の状態１８２に示すように、一体型カード８０は、カード搬送部３２により磁気リーダ部５２およびイメージリーダ部５４を通過する。
【００４０】
ここで、挿入されたカードが銀行専用のカード７０のタイプであり、三角形７６で示された方向に挿入された場合には、磁気リーダ部５２は、銀行ＭＳ７２を読取る。挿入されたカードが一体型カード８０のタイプの場合、磁気リーダ部５２は、三角形８４で示された正方向であればクレジットＭＳ８２を読取り、三角形８８で示された逆方向であれば銀行ＭＳ８６を読取る。
【００４１】
制御部４４は、磁気リーダ部５２がＭＳデータを読み取れたか否か、あるいは磁気リーダ部５２が読取ったＭＳデータを解析したＭＳデータが正常であるか否か判別する（Ｓ２０５）。ここで、ＭＳデータが正常であるとは、ＭＳデータから、少なくとも挿入方向が正方向であるというカード識別情報が読取れることをいう。すなわち、カード７０や一体型カード８０が逆方向に挿入された場合には、ＭＳデータは正常でないと判別される。また、カード７０の銀行ＭＳ７２、または一体型カード８０のクレジットＭＳ８２のＭＳデータが破壊されている場合も、ＭＳデータは正常でないと判別される。
【００４２】
ＭＳデータが正常であると判別されると（Ｓ２０５：ＹＥＳ）、磁気リーダ部５２が読取った銀行ＭＳ７２またはクレジットＭＳ８２のＭＳデータに含まれるカード識別情報から、制御部４４は、挿入されたカードがＩＣチップを有しているか否かを判別する（Ｓ２０６）。
【００４３】
挿入されたカードがＩＣチップを有していると判別されると（Ｓ２０６：ＹＥＳ）、イメージリーダ部５４は、カードのＩＣチップ７４またはＩＣチップ９０に記録されている情報を読取る（Ｓ２０７）。そして、制御部４４は、読取った情報に基づき自動取引装置１による取引処理を続行する。このとき、一体型カード８０は、図６に示すようにカード搬送部３２により位置１８６まで搬送される。
【００４４】
挿入されたカードがＩＣチップを有していないと判別されると（Ｓ２０６：ＮＯ）、制御部４４は、クレジットＭＳ８２に記録された情報に基づき取引を続行する。この場合、クレジット取引となる。
【００４５】
ＭＳデータが正常でないと判別されると（Ｓ２０５：ＮＯ）、イメージリーダ部５４が読取ったカードイメージに基づき、制御部４４は、所定の色彩の所定の図形が所定位置にあるか否か判別する（Ｓ２０８）。すなわち、制御部４４はイメージリーダ部５４が読取ったカードイメージを解析し、「色彩」「図形」「位置」等の印刷情報を取得する。また、制御部４４は記憶部４２のカード判別情報を参照し、イメージリーダ部５４が読取った「色彩」「図形」「位置」等の印刷情報に対応する、カード７０や一体型カード８０のカード識別情報である少なくとも「ＩＣチップ有無」「挿入方向」を取得する。
【００４６】
ここで、イメージリーダ部５４が取得するカードイメージから「色彩」「図形」「位置」を取得する方法の一例を、図７を参照しながら説明する。図７は、所定の色彩の図形を検出する方法を示しており、（ａ）は第１の例、（ｂ）は第２の例、（ｃ）は第３の例を示す。図７では、破線の矢印で走査線１９２を表している。図７に示すように、イメージリーダ部５４は、カードの所定の位置からカード搬送方向に一定間隔で、カラーイメージをスキャンする。
【００４７】
図７の例では、特徴の色彩の切り替えポイント長により「色彩」「図形」「位置」を判別する。例えば、図７（ａ）では、所定の第１色が検出される部分がだんだん長くなった後、検出されない状態となることで、所定の色彩の図形１９０が所定位置に検出されたと判断する。図７（ｂ）の例では、所定の第２色が検出される部分がだんだん長くなった後、一定幅となり、検出されない状態となることで、所定の色彩の図形１９４が所定位置に検出されたと判断する。図７（ｃ）の例では、所定の第３色が検出される部分がだんだん長くなり、一定幅となった後再び長くなり、検出されない部分が間に挟まるようになる。続いて一定幅の部分が続き、さらに所定の第３色が検出される部分が増大し、減少に転じて検出されなくなるといった、図形１９６の形状にあったパターンが検出されると、所定の色彩の図形１９６が所定位置に検出されたと判断する。
【００４８】
イメージリーダ部５４により取得されたイメージの解析の結果、図５のＳ２０８において、記憶部４２に記録されている自動取引装置１で利用可能なカードに対応する図形が検出できなかった場合は（Ｓ２０８：ＮＯ）、カード使用不可として返却する（Ｓ２０９）。このとき、図６に示すように、カード搬送部３２は、一体型カード８０をカード入出部３から状態１８４のように矢印６６の方向に排出する。
【００４９】
制御部４４は、自動取引装置１で利用可能なカードに対応する図形が検出された場合、挿入されたカードの挿入方向を、記憶部４２のカード判別情報を参照して取得し、正方向であれば処理をＳ２０７に進める（Ｓ２１０：ＹＥＳ）。挿入方向が逆方向であれば（Ｓ２１０：ＮＯ）、カードを反転させ（Ｓ２１１）、処理をＳ２０７に進める。このとき、カード搬送部３２にカードを反転させる回転機構を有するカード反転部（図示せず）を設け、カードの表裏を反転させた後に改めてＩＣチップリーダ部５６にＩＣチップ７４またはＩＣチップ９０にアクセスさせることが好ましい。
【００５０】
ここで、図８を参照しながら、カード判別情報について説明する。図８は、カード判別情報の一例を示す図である。図８に示すように、カード判別情報２４０として、例２７０〜例２７６について、カード識別情報２４４が印刷情報２４２に関連付けて記録されている。
【００５１】
例えば、例２７０では、印刷情報２４２の「色彩」が「青１」、「図形」は「三角形」、「位置」は、「範囲Ａ」である。この印刷情報２４２に関連付けて、カード識別情報２４４として「ＩＣ有無」が「有」、「挿入方向」は「正」方向、「カード種別」が「一体型」であることが記録されている。例えば、例２７２では、印刷情報２４２である「色彩」が「赤１」、「図形」は「矢印」、「位置」は、「範囲Ｂ」である。この印刷情報２４２に関連付けて、カード識別情報２４４として「ＩＣ有無」が「有」、「挿入方向」は「正」方向、「カード種別」が「銀行用」であることが記録されている。なお、「範囲Ａ」「範囲Ｂ」とは、カードにおいて所定の点を原点とした座標で表されるようにしてもよい。
【００５２】
例２７４、例２７６についても、同様に印刷情報２４２に関連付けてカード識別情報２４４が記憶される。このようなカード判別情報２４０により、自動取引装置１は、少なくとも「ＩＣチップ有無」と「挿入方向」を取得する。
【００５３】
このように制御部４４が、三角形７６または三角形８４の色彩を検出し、記憶部４２に記録されたカード判別情報２４０を参照することにより、ＩＣチップ７４またはＩＣチップ９０が備えられていることを判別したとする。このとき、Ｓ２０７でＩＣチップリーダ部５６は、ＩＣチップ７４またはＩＣチップ９０にアクセスし、内部の情報を読取ることにより、ＩＣ取引を続行する。このとき行われる取引は、銀行取引となる。
【００５４】
なお、上記実施の形態において、イメージリーダ部５４は、第１の読取部の一例であり、ＩＣチップリーダ部５６は、第２の読取部の一例であり、ＩＣチップ７４およびＩＣチップ９０は、本発明の第１の記録部の例である。銀行ＭＳ７２、およびクレジットＭＳ８２は、第２の記録部の例であり、磁気リーダ部５２は、第３の読取部の一例である。また、制御部４４によるＳ２０８の処理は、本発明の判定部の処理の一例であり、制御部４４によるＳ２０８、Ｓ２１０の処理は、本発明のカード識別情報取得部の処理の一例である。
【００５５】
以上詳細に説明したように、本実施の形態による自動取引装置１は、ＩＣチップの有無およびカードの挿入方向に関するカード識別情報２４４を、カードに印刷される「色彩」「図形」「位置」等の印刷情報２４２に関連付けてカード判別情報２４０として記憶部４２に記憶している。そして、銀行ＭＳ７２またはクレジットＭＳ８２が読取れない等、カード識別情報２４４が取得できない場合には、イメージリーダ部５４によりイメージを取得し、「色彩」「図形」「位置」を解析し、記憶部４２のカード判別情報２４０を参照する。読取った印刷情報２４２がカード判別情報２４０として記憶されているか否かを判別することにより、銀行ＭＳ７２またはクレジットＭＳ８２が読取れない場合にも、自動取引装置１において利用可能なカードであるか否かが判別される。
【００５６】
また、利用可能なカードである場合には、制御部４４は、印刷情報２４２に基づき、記憶部４２を参照することによりカード識別情報２４４を取得し、ＩＣチップの有無および挿入方向を判別する。これにより、制御部４４はＩＣチップリーダ部５６を介してＩＣチップ７４またはＩＣチップ９０にアクセスし、取引に必要な取引情報を取得することができる。
【００５７】
例えば、カードの「色彩」「図形」「位置」によりＩＣチップの有無と挿入方向を判定し、銀行ＭＳ８６とＩＣチップ９０とを含む一体型カード８０が正方向に挿入されていると判定できたとする。この場合は、制御部４４は、ＩＣチップ９０にアクセスして情報を読取ることにより、銀行ＩＣ処理を実行させることができる。逆方向であると判別された場合には、カードを反転させるか、排出するか、磁気リーダ部５２またはＩＣチップリーダ部５６の位置を調整する。
【００５８】
以上のように、本実施の形態による自動取引装置１によれば、カード表面に施された印刷の所定位置の所定図形の「色彩」を取得するだけで、カード識別情報２４４を取得することが可能になる。よって、ＭＳが破壊された状態でもＩＣチップ７４またはＩＣチップ９０にアクセスすることが可能となり、カード７０、一体型カード８０を利用可能な状態とすることができる。特に、一体型カード８０では、クレジットＭＳ８２のみが破壊されても挿入方向が検出できずに一体型カード８０自体が使用できなくなる事態が回避できる。
【００５９】
このとき、所定の「図形」は、従来のものを利用することが可能であり、正方向と逆方向で「色彩」を異なるものにするのみで、カード識別情報２４４を取得できる。よって、従来の印刷デザインを損なうことがない。また、デザインを変更する必要がないので、顧客を混乱させることもなく、コストも必要としない。また、銀行ＭＳ７２、ＩＣチップ７４、クレジットＭＳ８２、銀行ＭＳ８６、またはＩＣチップ９０に特別な情報を付加する必要もない。
【００６０】
さらに、ＭＳが破壊されてもカードが利用不可能となることを防止できるので、顧客は、金融機関の平日の営業時間に支店に出向いて、窓口で手続きをする必要がないとともに、カード発行手数料も不要である。金融機関は、窓口対応および事務作業の発生や、作業負担の増加を避けることができる。
【００６１】
なお、本発明は、以上に述べた実施の形態に限定されるものではなく、本発明の要旨を逸脱しない範囲内で種々の構成または実施形態を採ることができる。例えば、所定の図柄の「位置」として、カードの搬送方向に対し「右から規定値」、または「前から規定値」内にあることを記録するようにしてもよい。また、「図形」として「三角」、または「矢印」、またはその他の「指定の図」について記録するようにしてもよい。さらに、「色彩」として「色」を決めるようにしてもよい。「図形」は、顧客が視認により方向が分かる例えば非対称な図柄であることが好ましい。
【００６２】
また、所定の位置に所定の図形を所定の色彩でカードに印刷しておくが、記憶部４２は、印刷情報２４２として全カード共通の所定位置の「色彩」のみを記録し、「色彩」に関連付けてカードの「ＩＣチップの有無」および「挿入方向」を記録するようにしてもよい。ここで「挿入方向」とは、直接に「正方向」「逆方向」を示す必要はなく、例えばクレジットＭＳであること等、「挿入方向」と一意に対応する情報であればよい。
【００６３】
制御部４４が、一体型カード８０の挿入方向を逆方向と判別した場合、不図示の位置調整部を備えるようにして、ＩＣチップリーダ部５６の位置を、所定位置の色彩に基づいてＩＣチップ９０にアクセス可能な位置に調整するようにしてもよい。例えば、「色彩」が「青２」であると判定された場合には、ＩＣチップリーダ部５６の位置を、予め決められた逆方向のカード用の位置に移動させるようにしてもよい。このとき、位置調整部は、必要に応じてＩＣチップリーダ部５６を平行移動または回転移動させることが好ましい。同様に、位置調整部は、磁気リーダ部５２の位置を調整し、クレジットＭＳ８２の情報が読取れるようにしてもよい。このような構成により、逆方向に挿入された一体型カード８０を排出することなく取引処理を行なうことができる。
【００６４】
また、上記実施の形態においては、記憶部４２にカード識別情報２４４として、ＩＣチップの有無とカードの挿入方向に関する情報を記録するようにしたが、カードの挿入方向は、ＩＣチップの位置がＩＣチップリーダ部５６で読み取り可能であることを確認するための情報である。よって、ＩＣチップの位置に関する情報を記録あるいは取得するようにしてもよい。
【００６５】
例えば、所定の図形の印刷が検出できないような場合、カード概観図を表示パネル１１に表示し、ＩＣチップ７４またはＩＣチップ９０の位置を顧客に表示パネル１１上でタッチにより指定してもらい、ＩＣチップ７４またはＩＣチップ９０の位置を取得してもよい。
カード反転部が設けられない場合には、矢印６６の方向に排出するようにしてもよい。このとき表示パネル１１にカードを反転させてほしい旨を表示することが好ましい。
【符号の説明】
【００６６】
１      自動取引装置
３      カード入出部
５      通帳入出部
７      紙幣入出部
９      硬貨入出部
１１    表示パネル
１３    通話部
３０    カード処理部
３２    カード搬送部
３４    通帳処理部
３６    操作表示部
３８    紙幣入出金部
４０    硬貨入出金部
４２    記憶部
４４    制御部
５２    磁気リーダ部
５４    イメージリーダ部
５６    ＩＣチップリーダ部
６０、６２    矢印
７０    カード
７２    銀行ＭＳ
７４    ＩＣチップ
７６    三角形
８０    一体型カード
８２    クレジットＭＳ
８４    三角形
８６    銀行ＭＳ
８８    三角形
９０    ＩＣチップ
２４０  カード判別情報
【図１】
2013012083.tif 000003
【図２】
2013012083.tif 000004
【図３】
2013012083.tif 000005
【図４】
2013012083.tif 000006
【図５】
2013012083.tif 000007
【図６】
2013012083.tif 000008
【図７】
2013012083.tif 000009
【図８】
2013012083.tif 000010